【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
メモリと、
前記メモリに結合されており、トラフィックについて複数の１ＧＨｚ以下の帯域幅（Ｓ１Ｇ）局のアクセスカテゴリ（ＡＣ）を含む複数のアクセスカテゴリを定義するＥＤＣＡパラメータセットフレームを生成する媒体アクセス制御副層ロジックと、
複数のＳ１Ｇ局の前記ＡＣを含むＥＤＣＡパラメータセットエレメントを送信する送信機と
を備える、搬送波感知多重アクセス／衝突回避（ＣＳＭＡ／ＣＡ）方式を優先する高度分散型チャネルアクセス（ＥＤＣＡ）を用いて、無線ネットワークにおいて動作するデバイス。
【請求項２】
Ｓ１Ｇ局（Ｓ１Ｇ ＳＴＡ）の前記ＥＤＣＡパラメータセットエレメントを受信する前記Ｓ１Ｇ ＳＴＡは、前記ＥＤＣＡパラメータセットエレメントによって示される複数の値に基づいて、複数のＥＤＣＡパラメータの複数のＭＩＢ値を更新する請求項１に記載のデバイス。
【請求項３】
前記ＥＤＣＡパラメータセットエレメントは、複数のデフォルト管理情報ベース（ＭＩＢ）属性値を変更することによってポリシーを確立するアクセスポイント（ＡＰ）によって利用される請求項２に記載のデバイス。
【請求項４】
前記Ｓ１Ｇ局の前記ＡＣは、トラフィックについての前記複数のアクセスカテゴリに対して定義される複数のコンテンションウィンドウのうち最も早期に開くコンテンションウィンドウであるコンテンションウィンドウを定義するパラメータレコードを含む請求項１に記載のデバイス。
【請求項５】
前記媒体アクセス制御副層ロジックに結合されており、前記ＥＤＣＡパラメータセットフレームを送信する送信機をさらに備える請求項４に記載のデバイス。
【請求項６】
前記送信機に結合されており、前記ＥＤＣＡパラメータセットフレームを送信するアンテナをさらに備える請求項５に記載のデバイス。
【請求項７】
前記媒体アクセス制御副層ロジックは、前記ＥＤＣＡパラメータセットフレームの少なくとも一部分を格納するべく前記メモリに結合されている請求項５に記載のデバイス。
【請求項８】
前記媒体アクセス制御副層ロジックは、物理層プロトコルデータユニットを送信するための送信時間のしきい値を定義する前記ＥＤＣＡパラメータセットフレームを生成するロジックを含む請求項６に記載のデバイス。
【請求項９】
前記媒体アクセス制御副層ロジックは、複数の１ＧＨｚ以下の帯域幅（Ｓ１Ｇ）局の前記ＡＣを定義する前記ＥＤＣＡパラメータセットフレームを生成するロジックを含む請求項５に記載のデバイス。
【請求項１０】
前記媒体アクセス制御副層ロジックは、ベストエフォートアクセスカテゴリのアービトレーションフレーム間空間数よりも少ないアービトレーションフレーム間空間数で前記アクセスカテゴリを定義する前記ＥＤＣＡパラメータセットフレームを生成するロジックを含む請求項８に記載のデバイス。
【請求項１１】
前記媒体アクセス制御副層ロジックは、前記ＥＤＣＡパラメータセットフレーム内で定義されている、物理層プロトコルデータユニットを送信する場合の送信時間のしきい値を、前記メモリに格納するロジックを含む請求項４に記載のデバイス。
【請求項１２】
前記デバイスは、アクセスポイント（ＡＰｓ）、ルータ、スイッチ、サーバ、ワークステーション、ネットブック、モバイルデバイス、ラップトップ、スマートフォン、およびタブレットの１または複数からなる群から選択される請求項１に記載のデバイス。
【請求項１３】
前記Ｓ１Ｇ局は、特定エリア内の家庭用または複数の家庭用の電気、水道、ガスおよび／または他の公共施設の利用分を計測する複数のセンサからデータを収集し、これらのサービスの利用分を別の計測局に無線送信する計測局である請求項１に記載のデバイス。
【請求項１４】
前記Ｓ１Ｇ局は、転倒検出、薬瓶の監視、体重管理、睡眠時無呼吸、血糖値、心拍を含む健康管理に関する出来事および患者のバイタルサインを監視する家庭用健康管理、クリニックまたは病院用の複数のセンサからデータを収集する請求項１に記載のデバイス。
【請求項１５】
媒体アクセス制御副層ロジックによって、トラフィックについて複数の１ＧＨｚ以下の帯域幅（Ｓ１Ｇ）局のアクセスカテゴリ（ＡＣ）を含む複数のアクセスカテゴリを定義するＥＤＣＡパラメータセットフレームを生成する段階と、
複数のＳ１Ｇ局の前記ＡＣを含むＥＤＣＡパラメータセットエレメントを送信する段階と
を有する方法。
【請求項１６】
Ｓ１Ｇ局（ＳＴＡ）のＥＤＣＡパラメータセットエレメントを受信するＳ１Ｇ ＳＴＡは、前記ＥＤＣＡパラメータセットエレメントによって示される複数の値に基づいて、複数のＥＤＣＡパラメータの複数のＭＩＢ値を更新する請求項１５に記載の方法。
【請求項１７】
複数のデフォルト管理情報ベース（ＭＩＢ）属性値を変更することによってポリシーを確立するアクセスポイント（ＡＰ）によって前記ＥＤＣＡパラメータセットエレメントを使用する段階をさらに有する請求項１６に記載の方法。
【請求項１８】
送信すべき物理層プロトコルデータユニットを生成するプリアンブルを用いて前記ＥＤＣＡパラメータセットフレームを、物理層ロジックによって、カプセル化する段階をさらに有する請求項１７に記載の方法。
【請求項１９】
送信すべき物理層プロトコルデータユニットを、アンテナを介して送信する段階をさらに有する請求項１８に記載の方法。
【請求項２０】
メモリ内の前記ＥＤＣＡパラメータセットフレームの少なくとも一部を、前記媒体アクセス制御副層ロジックによって、格納する段階をさらに有する請求項１８に記載の方法。
【請求項２１】
前記フレームを生成する段階は、前記物理層プロトコルデータユニットを送信するための送信時間のしきい値を定義している前記ＥＤＣＡパラメータセットフレームを生成する段階を含む請求項１８に記載の方法。
【請求項２２】
機械アクセス可能製品であって、
トラフィックについての複数のアクセスカテゴリを定義している複数のパラメータレコードを含む媒体を備え、
前記複数のパラメータレコードは、
複数の１ＧＨｚ以下の帯域幅（Ｓ１Ｇ）局のアクセスカテゴリ（ＡＣ）を定義し、
Ｓ１Ｇ局（Ｓ１Ｇ ＳＴＡ）のＥＤＣＡパラメータセットエレメントを受信する前記Ｓ１Ｇ ＳＴＡは、前記ＥＤＣＡパラメータセットエレメントによって示される複数の値に基づいて、複数のＥＤＣＡパラメータの複数のＭＩＢ値を更新し、
前記ＥＤＣＡパラメータセットエレメントは、複数のデフォルト管理情報ベース（ＭＩＢ）属性値を変更することによってポリシーを確立するアクセスポイント（ＡＰ）によって利用される機械アクセス可能製品。
【請求項２３】
前記媒体は、物理層プロトコルデータユニットを送信するための送信時間のしきい値をさらに有する請求項２２に記載の機械アクセス可能製品。
【請求項２４】
前記媒体は、トラフィックについての前記複数のアクセスカテゴリについて定義されている複数のコンテンションウィンドウのうち、最初に開くコンテンションウィンドウであるコンテンションウィンドウを定義しているパラメータレコードを有する請求項２３に記載の機械アクセス可能製品。
【請求項２５】
前記媒体は、フレーム内に定義されている、物理層プロトコルデータユニットを送信する場合の送信時間のしきい値をメモリに格納するロジックを有する請求項２２に記載の機械アクセス可能製品。
【請求項２６】
１ＧＨｚ以下の局（Ｓ１Ｇ ＳＴＡ）の媒体アクセス制御副層ロジックによって、トラフィックについて複数のアクセスカテゴリを定義するＥＤＣＡパラメータセットフレームを受信する段階を有し、
前記複数のアクセスカテゴリは、前記Ｓ１Ｇ ＳＴＡのアクセスカテゴリ（ＡＣ）を含み、
ＥＤＣＡパラメータセットエレメントを受信する前記Ｓ１Ｇ ＳＴＡは、前記ＥＤＣＡパラメータセットエレメントによって示される複数の値に基づいて、複数のＥＤＣＡパラメータの複数のＭＩＢ値を更新する方法。
【請求項２７】
前記ＥＤＣＡパラメータセットエレメントは、複数のデフォルト管理情報ベース（ＭＩＢ）属性値を変更することによってポリシーを確立するべく利用される請求項２６に記載の方法。
【請求項２８】
プリアンブルによってカプセル化された前記フレームを受信する段階をさらに有する請求項２７に記載の方法。
【請求項２９】
前記フレーム内に定義されている、物理層プロトコルデータユニットを送信するための送信時間のしきい値を、前記媒体アクセス制御副層ロジックによって、メモリに格納する段階をさらに有する請求項２８に記載の方法。
【手続補正２】
【補正対象書類名】明細書
【補正対象項目名】発明の名称
【補正方法】変更
【補正の内容】
【発明の名称】デバイス、方法、および機械アクセス可能製品